【事件の表示】
　平成　６年特許願第　９９４５７号「記録媒体管理方法および装置」拒絶査定不服審判事件〔平成　７年１１月２１日出願公開、特開平　７−３０７０７７〕について、次のとおり審決する。
【結　論】
　本件審判の請求は、成り立たない。
【理　由】
第１　手続の経緯
　本願は、平成　６年　５月１３日の出願であって、平成１５年　４月１４日付け拒絶理由通知に対して平成１５年　６月１３日付けで意見書及び補正書が提出されたが、平成１５年　８月２６日付けで拒絶査定がなされ、これに対し、平成１５年　９月２９日に拒絶査定に対する審判請求がなされるとともに、平成１５年１０月２７日付けで手続補正がなされたものである。
　
第２　平成１５年１０月２７日付け手続補正についての補正却下の決定
　
［補正却下の決定の結論］
　平成１５年１０月２７日付けの手続補正（以下、「本件補正」という。）を却下する。
　
［理由］
１．補正前及び補正後の本願発明
　
　 本件補正は、特許請求の範囲及び発明の詳細な説明についてするもので、特許請求の範囲については補正前に、
　
　「【請求項１】　１の記録媒体に記録されている画像信号を再生し、
　前記再生信号から少なくとも１枚の静止画を記憶し、
　前記静止画の前記記録媒体上の絶対時刻のアドレス情報を、前記静止画に対応して記憶し、
　記憶した前記静止画を所定の画面に複数表示し、
　記憶した前記静止画を表示した状態において、所定の静止画が指定されたとき、前記静止画に対応する記録位置情報から前記記録媒体上の前記静止画をアクセスする
　ことを特徴とする記録媒体管理方法。
　
　　【請求項２】　１の記録媒体に記録されている画像のうちの少なくとも１枚の静止画と、前記静止画の前記記録媒体上の絶対時刻のアドレス情報を対応して記憶する記憶手段と、
　前記記憶手段に記憶した前記静止画を、画面に複数表示するために出力する出力手段と、
　前記画面に表示された前記静止画の所定のものを指定する指定手段と、
　前記指定手段により指定された前記静止画を、前記記録媒体から検索する検索手段と
　を備えることを特徴とする記録媒体管理装置。」
　
とあったのを、
　
　「【請求項１】　１の記録媒体に記録されている画像信号を再生し、
　前記画像信号からユーザの操作により取り込みが指令された静止画を記憶し、
　記憶した前記ユーザの操作により取り込みが指令された静止画の前記記録媒体上の位置情報を、前記静止画に対応して記憶し、
　記憶した前記静止画を所定の画面に複数表示し、
　前記所定の画面に前記静止画を複数表示した状態において、所定の静止画が指定されたとき、前記所定の静止画に対応する位置情報から前記記録媒体上の前記静止画をアクセスする
　ことを特徴とする記録媒体管理方法。
　
　　【請求項２】　１の記録媒体に記録されている画像信号のうちのユーザの操作により取り込みが指令された静止画と、前記ユーザの操作により取り込みが指令された静止画の前記記録媒体上の位置情報を対応して記憶する記憶手段と、
　前記記憶手段に記憶した前記静止画を、画面に複数表示するために出力する出力手段と、
　前記画面に表示された前記静止画の所定のものを指定する指定手段と、
　前記指定手段により指定された所定の前記静止画を、前記記録媒体から検索する検索手段と
　を備えることを特徴とする記録媒体管理装置。」
　
と補正するものである。
　
２．補正の目的の適否
　本件補正は、請求項１について、補正前に「記録媒体上の絶対時刻のアドレス情報」とされていたものを「記録媒体上の位置情報」とその上位の概念とする補正を含んでおり、この補正は、請求項の削除、特許請求の範囲の減縮、誤記の訂正、及び、明りょうでない記載の釈明の何れも目的とするものといえないことは明らかであるから、特許法第１７条の２第３項の規定に違反してされたものである。
　
３．独立特許要件について
　本件補正は上記のとおりであるが、仮に特許法第１７条の２第３項第２号の特許請求の範囲の減縮を目的とするとした場合について、補正後の請求項１に係る発明（以下、「本願補正発明」という。）が特許出願の際独立して特許を受けることができるものであるか（特許法第１７条の２第４項において準用する同法第１２６条第３項の規定に違反するか）否かについても、一応以下に検討する。
　
（１）引用例
　原査定の拒絶の理由において引用された、本願出願前に頒布された刊行物である特開平４−３６６４８７号公報（以下、「引用例」という。）には、図面とともに次の技術事項が記載されている。（下線は、当審において付与したものである。）
　
（イ）「【請求項１】ビデオカセットテープをビデオライブラリーに含まれている他のビデオカセットテープとも区別するように識別するカセットテープ識別手段と、上記ビデオライブラリーのデータベースを記憶する不揮発性ランダムアクセスメモリと、上記ビデオライブラリーのデーターベースの維持管理、ビデオカセットテープへの識別記号の書込み／読出し、ビデオライブラリー対するアクセスをユーザーフレントデリーで可能とするインターフェースの各機能を行うマイクロプロセッサおよびソフトウェアとを備えていることを特徴とするビデオ記録再生装置。」
　
（ロ）「【０００１】【産業上の利用分野】この発明は、ビデオカセットテープに映像信号を記録したり、ビデオカセットテープから映像信号を再生する場合に使用されるビデオ記録再生装置（以下、ビデオテーププレヤーと称す）に関するものである。」
　
（ハ）「【０００７】【発明が解決しようとする課題】以上のように、従来、ビデオテーププレヤーのメーカーにおいては、映像の記録および再生に係わるシステムの開発、改良に専ら集中しており、映像の記録後の結果である、膨大な量のビデオライブラリーに関しては、ほとんど無視しているといって過言でない。現在における再生映像の画質については、新型の記録再生装置でも画質の劣った映像が映出されることのない程の高いレベルにまで達している。ユーザーにおいては、既述したように、
どのビデオカセットテープにどの番組が記録されているのか、また、記録されている目的の番組を見つけるためにはどうすれば良いか、
　
【０００８】いずれにしても、従来では備忘録をとらない限り、カセットテープの取扱いが混沌となってしまう。ビデオテーププレヤーが使用されるようになってから既に相当な年数が経っていることから、その間に映像番組の記録・保存を行ってきたユーザーの手持ちのビデオカセットテープは相当な数になっている。
このようにビデオカセットテープの数が多ければ多いほど、どのカセットテープにどんな番組が記録・保存されているかなどの管理が難しくなり
　
（ニ）「【００１５】【作用】この発明の請求項１のものによれば、ビデオカセットテープへ識別記号を書き込んで映像番組のカタログを自動的に作成したり、その番組のあらましを自動的に登録することが可能であるとともに、ビデオテーププレヤーに装填されたビデオカセットテープからの識別記号の読出しにより、そのビデオカセットテープがビデオライブラリーに含まれているものか否か、含まれているものである場合、そのビデオカセットテープに記録・保存されている番組の検索および新たに記録ができるビデオカセットテープ上の空きスペースの検索など、ビデオライブラリーに記録されている全ての映像番組についてのデータベースの維持管理を行える。」
　
（ホ）「【００３２】
不揮発性ＲＡＭ
ユーザーのビテオライブラリーに含まれている全てのカセットテープについての情報が保持されているデータベースを記憶させるようにしてもよい。各カセットテープについての情報としては、次のような項目が考えられる。
【００３３】〜【００３５】省略
　
【００３６】・
ＶＩＳＳ位置
・
番組タイトル
　
（ヘ）「【００５６】つぎに、上記構成の動作について説明する。上記システムにおいては、従来からある標準的なビデオテーププレヤーと同様に動作するが、異なる点は、ユーザーが筆記用紙、筆記用具を用意して、記録するテレビ番組をリストアップする必要がないことである。詳述すると、上記システムでは、
記録したテレビ番組についての全ての情報が不揮発ＲＡＭ１２に記憶される。
記録されている全ての番組のタイトルの一覧が順次メニューの形で表示される。その表示されているタイトル一覧から所望のタイトルをユーザーが選択することにより、ビデオライブラリー管理システムがビデオテーププレヤーに対して、選択されたタイトルの番組を探し出して、それを再生する上で必要な信号を出力する。
　
（ト）「【００６４】【発明の効果】以上のように、この発明の請求項１のものによれば、ビデオカセットテープへ識別記号を書き込んで映像番組のカタログを自動的に作成したり、その番組のあらましを自動的に登録することが可能であるとともに、ビデオテーププレヤーに装填されたビデオカセットテープからの識別記号の読み出しにより、そのビデオカセットテープがビデオライブラリーに含まれているものか否か、含まれているものである場合、そのビデオカセットテープに記録・保存されている番組の検索及び新たに記録ができるビデオカセットテープ上の空きスペースの検索など、ビデオライブラリーに記録されている全ての映像番組についてのデータベースの維持管理を良好に行うことができる。
　
【００６５】しかも、
ビデオライブラリー対するアクセスをユーザーフレンドリーで行えるので、ユーザーが自らのビデオライブラリーをインターフェースを介しての対話に基づいて、組織的に作ることができ
　
　そして、これらの記載及び図面の記載を総合参酌すれば、引用例には以下の発明（以下、「引用発明」という。）が記載されているものと認められる。
　
　「１のビデオカセットテープに記録されているテレビ番組の番組タイトルと、該テレビ番組を検索するためのＶＩＳＳ位置についての情報とを対応させて不揮発性ＲＡＭに記憶し、
　前記不揮発性ＲＡＭに記憶した番組タイトルの一覧を順次メニューの形で表示スクリーンに表示し、
　前記表示スクリーン上に前記番組タイトルの一覧を表示した状態において、所望の番組タイトルをユーザーが選択することにより、選択された番組タイトルの番組を探し出す、ビデオ記録再生方法。」
　
（３）対比
　そこで、本願補正発明と引用発明とを比較する。
　
　引用発明の「ビデオカセットテープ」は、本願補正発明の「記録媒体」に相当する。
　
　引用発明の「テレビ番組」は、「ビデオカセットテープ」に映像信号の形式で記録・保存されるものであるから、実質的に本願補正発明の「画像信号」に相当する。
　
　引用発明の「ＶＩＳＳ位置」とは、ビデオカセットテープ（記録媒体）上の各番組の先頭位置のことであり、引用発明の「ＶＩＳＳ位置についての情報」は、本願補正発明の「記録媒体上の位置情報」に相当する。
　
　引用発明の「表示スクリーン」は、本願補正発明の「所定の画面」に相当する。
　
　引用発明が対象とする「ビデオ記録再生方法」は、「ビデオカセットテープ」に記録されたテレビ番組の管理をするものであるから、その限りにおいて本願補正発明の「記録媒体管理方法」に相当する。
　
　引用発明の「番組タイトル」は、１のビデオカセットテープ（記録媒体）に記録されたテレビ番組（画像信号）に関連する情報であり、表示スクリーン（所定の画面）に一覧（複数）表示され、かつ一覧（複数）表示された状態で選択（指定）される情報であるから、この限りにおいて本願発明の「静止画」と共通している。
　
 　そうすると、本願補正発明と引用発明とは次の点で一致する。
　
＜一致点＞
「１の記録媒体に記録された画像信号に関連し、所定の画面に複数表示され、かつ複数表示された状態で指定される情報（以下、「表示指定情報」という。）を記憶し、
　記録媒体上の位置情報を、前記表示指定情報に対応して記憶し、
　記憶した前記表示指定情報を所定の画面に複数表示し、
　前記所定の画面に前記表示指定情報を複数表示した状態において、所定の表示指定情報が指定される
　記録媒体管理方法。」
　
　他方、次の点で相違する。
　
（相違点１）
　本願補正発明は、「表示指定情報」が１の記録媒体に記録されている画像信号を再生し、前記画像信号からユーザの操作により取り込みが指令された「静止画」であり、この「静止画」の記録媒体上の位置情報を前記静止画に対応して記憶し、画面上で所定の「静止画」が指定されたとき、記録媒体上の指定された前記静止画にアクセスするものであるのに対し、引用発明は、「表示指定情報」がビデオカセットテープに記録されたテレビ番組の「番組タイトル」であり、「番組」の記録媒体上の位置情報を前記ビデオカセットテープ（記録媒体）上の前記テレビ番組検索用のＶＩＳＳ位置として記憶し、画面上で所定の「番組タイトル」が選択されたときビデオカセットテープ（記録媒体）上の選択されたテレビ番組を探し出すものである点。
　
（４）判断
　記録媒体に記録された映像の確認、または所望の映像を検索するために、記録媒体からの再生映像信号から使用者の操作により複数の静止画を取り込んで、該静止画の記録媒体上の記録位置と共に記憶しておき、記憶した前記静止画を読み出して選択可能に表示し、使用者が選択した静止画の記録位置に基づいて、該選択した静止画を検索することは、ビデオテープレコーダのいわゆるマルチインデックスサーチ機能として、当該技術分野において本願出願前に周知技術である（例えば特開平４−２９５６８５号公報、特開平５−１４８４５号公報（段落０００２）及び特開平４−２２７１７９号公報等参照）から、引用発明においても、所望のテレビ番組のＶＩＳＳ位置（すなわち、先頭位置）を検索するだけでなく、ビデオカセットテープに記録されたテレビ番組中の映像の確認、またはテレビ番組中の所望の映像を検索しようとする場合、前記周知技術を勘案し、番組タイトルに代えて前記ビデオカセットテープ（記録媒体）からの再生映像信号から複数の静止画を使用者の操作により取り込むとともに、該静止画のビデオカセットテープ上の記録位置を対応させて記憶しておき、記憶した前記静止画を読み出して選択可能に表示し、使用者が選択した静止画の記録位置に基づいて、該選択した静止画を検索するようにすることは、当業者が適宜容易になしうる程度の事項に過ぎないものである。
　
　以上、本願補正発明は、引用例に記載された発明及び周知技術に基づいて、当業者が容易に発明をすることができたものである。
　
４．本件補正についての結び
　上記「２．」で示したとおり、本件補正は、特許法第１７条の２第３項第１〜４号に規定された目的のいずれにも該当しない。また、上記「３．」で示したとおり、仮に本件補正が特許請求の範囲の減縮を目的とするとしても、本願補正発明は、特許法第２９条第２項の規定により特許出願の際独立して特許を受けることができないものであるから、本件補正は、平成６年改正前特許法第１７条の２第４項において読み替えて準用する同法１２６条第３項に規定に違反する。
　したがって、本件補正は、特許法第１５９条第１項の規定において読み替えて準用する同法第５３条第１項の規定により却下すべきものである。
　
第３　本願発明について
　
１．本願発明
　平成１５年１０月２７日付けの手続補正は上記のとおり却下されたので、本願の請求項１に係る発明（以下、「本願発明」という。）は、平成１５年６月１３日付け手続補正書により補正された明細書の特許請求の範囲の請求項１に記載された事項により特定される、以下のとおりのものである。
　
  「１の記録媒体に記録されている画像信号を再生し、
　前記再生信号から少なくとも１枚の静止画を記憶し、
　前記静止画の前記記録媒体上の絶対時刻のアドレス情報を、前記静止画に対応して記憶し、
　記憶した前記静止画を所定の画面に複数表示し、
　記憶した前記静止画を表示した状態において、所定の静止画が指定されたとき、前記静止画に対応する記録位置情報から前記記録媒体上の前記静止画をアクセスする
　ことを特徴とする記録媒体管理方法。」
　
２．引用例
　原査定の拒絶の理由において引用された引用例及びその記載事項は、前記「第２　３．（１）」に記載したとおりである。
　
３．対比、判断
　本願発明は、前記「第２」で検討した本願補正発明から、「静止画」の限定事項である「ユーザの操作により取り込みが指令された」点を省き、本願補正発明において「画像信号」との限定を省いた「再生信号」とし、同じく「前記所定の画面に前記静止画を複数表示した状態」との限定を省いた「記憶した前記静止画を表示した状態」とし、同じく「前記所定の静止画」との限定を省いた「前記静止画」とし、更に静止画とともに記憶する情報について、「記録媒体上の位置情報」を「記録媒体上の絶対時刻のアドレス情報」に限定したものである。
　
　そこで、本願発明と引用発明とを対比すると、前記「第２　３．（３）」に記載した、本願発明の構成要件のうち、前記限定された構成要件を除く全ての構成要件を含み、更に他の構成要件を付加したものに相当する本願補正発明と引用発明との検討済みの相違点１の他に、以下の点で相違する。
　
（相違点２）
　本願発明では、静止画（表示指定情報）とともに記憶する情報が「該静止画の絶対時刻のアドレス情報」であるのに対し、引用発明では、番組タイトル（表示指定情報）とともに記憶する情報が「ＶＩＳＳ情報」である点。
　
　そこで、この相違点について検討する。
　記録媒体上の記録位置を表すために絶対時刻のアドレス情報を用いることは、本願出願前に当該技術分野において周知技術である（例えば、前記特開平４−２２７１７９号公報（段落００１５）、特開平５−１０１６１５号公報（段落００１７、図２）、特開平６−８９５４３号公報（段落００１９、図５）等参照）から、引用発明においても、記録媒体上の番組タイトル（表示指定情報）に対応するテレビ番組のビデオカセットテープ（記録媒体）上の記録位置を示す情報として、ＶＩＳＳ情報に代えて単に周知の絶対時刻のアドレス情報を用いることは、当業者が必要に応じて適宜なし得る程度の事項に過ぎないものである。
　
４．むすび
　以上のとおり、本願発明は、引用例及び周知技術に基づいて、当業者が容易に発明をすることができたものであるから、特許法第２９条第２項の規定により特許を受けることができない。
　
　したがって、本願は、その余の請求項について論及するまでもなく、拒絶すべきものである。
　
　よって、結論のとおり審決する。